(57)【要約】【課題】同一画面上において異なる撮像装置から画像情報を再生させたり、異なる時間に撮像された画像情報を再生させたりする操作を簡易にする。【解決手段】表示装置３は、同一画面上における複数の画像領域夫々と対応付けて、各画像領域で再生させる画像情報の撮像元となるカメラ装置１を管理するとともに、各画像領域で再生させる画像情報が記録された画像情報であるか現在撮像されている画像情報であるかを管理し、その管理情報に基づいて、少なくとも一つのカメラ装置１及び少なくとも一つの記録装置２のうちの少なくとも何れか一つの該当する装置から画像情報を取得し、取得した各画像情報を、上記管理情報に基づいて複数の画像領域上で再生させる。【選択図】図１
2006345489.tif 000002
【特許請求の範囲】
【請求項１】
画像を再生する画像再生装置において、
画面上に配置される領域の位置情報と、前記領域上に再生表示される画像を撮像した撮像装置および前記再生表示を開始すべき画像の撮像時刻情報とを関連付けたレイアウト情報を記憶する記憶手段から前記レイアウト情報を読み出す読み出し手段と、
前記読み出し手段によって読み出されたレイアウト情報に基づいて、前記画面上に配置される領域に対応する画像を再生させる制御手段とを有することを特徴とする画像再生装置。
【請求項２】
前記レイアウト情報は、再生する画像が記録装置に記録された画像である場合、前記再生を開始すべき画像の撮像時刻情報を有することを特徴とする請求項１に記載の画像再生装置。
【請求項３】
前記レイアウト情報の撮像時刻情報として、撮像装置の周辺の状態変化が検知手段により検知された場合、当該検知時刻又は当該検知時刻の一定時間前の時刻を再生を開始すべき画像の撮像時刻情報とすることを特徴とする請求項１に記載の画像再生装置。
【請求項４】
前記制御手段は、再生する画像が現在の画像である場合、再生を開始すべき画像を撮像装置から逐次取得することを特徴とする請求項１に記載の画像再生装置。
【請求項５】
前記制御手段は、前記記憶手段によって記憶された複数のレイアウト情報の中からレイアウト情報を選択するためのメニュー画面を表示することを特徴とする請求項１に記載の画像再生装置。
【請求項６】
周辺の状態変化が検知手段により検知された撮像装置との関連性の強さに基づいてレイアウト情報を作成する作成手段をさらに有することを特徴とする請求項３に記載の画像再生装置。
【請求項７】
画像を再生する画像再生装置の画像再生方法であって、
画面上に配置される領域の位置情報と、前記領域に再生される画像を撮像した撮像装置および前記再生を開始すべき画像の撮像時刻情報とを関連付けたレイアウト情報を記憶する記憶手段から前記レイアウト情報を読み出す読み出しステップと、
前記読み出しステップにおいて読み出されたレイアウト情報に基づいて、前記画面上に配置される領域に対応する画像を再生する制御ステップとを有することを特徴とする画像再生装置の画像再生方法。
【請求項８】
前記レイアウト情報は、再生する画像が記録装置に記録された画像である場合、前記再生を開始すべき画像情報の撮像時刻情報を有することを特徴とする請求項７に記載の画像再生装置の画像再生方法。
【請求項９】
前記レイアウト情報の撮像時刻情報として、撮像装置の周辺の状態変化が検知手段により検知された場合、当該検知時刻又は当該検知時刻の一定時間前の時刻を再生を開始すべき画像の撮像時刻情報を有することを特徴とする請求項７に記載の画像再生装置の画像再生方法。
【請求項１０】
前記制御ステップにおいて、再生する画像が現在の画像である場合、
再生を開始すべき画像を撮像装置から逐次取得することを特徴とする請求項７に記載の画像再生装置の画像再生方法。
【請求項１１】
前記制御ステップにおいて、前記記憶手段によって記憶された複数のレイアウト情報の中からレイアウト情報を選択するためのメニュー画面を表示することを特徴とする請求項７に記載の画像再生装置の画像再生方法。
【請求項１２】
周辺の状態変化が検知手段により検知された撮像装置との関連性の強さに基づいてレイアウト情報を作成する作成ステップをさらに有することを特徴とする請求項９に記載の画像再生装置の画像再生方法。
【請求項１３】
請求項７乃至１２のいずれか1項に記載の画像再生装置の画像再生方法をコンピュータに実行させるためのプログラム。
【発明の詳細な説明】
【技術分野】
【０００１】
本発明は、撮像装置からの画像を同一画面上に複数の表示領域で再生するための画像再生装置及び画像再生方法に関するものである。
【背景技術】
【０００２】
インターネット技術を利用して、リアルタイムにカメラが撮像した画像をパソコンなどの端末装置に表示し、その端末装置からカメラの撮像方向を制御するネットワークカメラシステムが知られている。このネットワークカメラシステムを利用して、遠隔からカメラの画像の記録と再生を行う監視システムがある。
【０００３】
従来の監視システムにおいて、同一画面に複数の記録画像を表示するために、磁気テープに複数画像の内容を同時に記録再生する方法などが採られている（例えば、特許文献１参照）。
【０００４】
【特許文献１】特開平０２−０７０１８５号公報
【発明の開示】
【発明が解決しようとする課題】
【０００５】
しかしながら、例えば、利用者があるカメラの画像の特定の時間を再生しつつ、同時に別のカメラの画像の特定の時間を再生して、お互いを比較して閲覧する場合、その操作が複雑になる。
【０００６】
そこで、本発明は、同一画面上において異なる撮像装置によって撮像された画像情報を再生させたり、異なる時間に同一の撮像装置によって撮像された画像情報を再生させたりする操作を簡易にさせたりすることを目的とする。
【課題を解決するための手段】
【０００７】
上記目的を達成するために、本発明の画像再生装置は、画像を再生する画像再生装置において、画面上に配置される領域の位置情報と、前記領域上に再生表示される画像を撮像した撮像装置および前記再生表示を開始すべき画像の撮像時刻情報とを関連付けたレイアウト情報を記憶する記憶手段から前記レイアウト情報を読み出す読み出し手段と、前記読み出し手段によって読み出されたレイアウト情報に基づいて、前記画面上に配置される領域に対応する画像を再生させる制御手段とを有することを特徴とする。
本発明の画像再生方法は、画像を再生する画像再生装置の画像再生方法であって、画面上に配置される領域の位置情報と、前記領域に再生される画像を撮像した撮像装置および前記再生を開始すべき画像の撮像時刻情報とを関連付けたレイアウト情報を記憶する記憶手段から前記レイアウト情報を読み出す読み出しステップと、前記読み出しステップにおいて読み出されたレイアウト情報に基づいて、前記画面上に配置される領域に対応する画像を再生する制御ステップとを有することを特徴とする。
【発明の効果】
【０００８】
本発明によれば、同一画面上において異なる撮像装置から画像情報を再生させたり、異なる時間に撮像された画像情報を再生させたりする操作を簡易なものとすることができる。
【発明を実施するための最良の形態】
【０００９】
以下、本発明を適用した好適な実施形態を、添付図面を参照しながら詳細に説明する。
【００１０】
（第１の実施形態）
図１は、本発明の第１の実施形態に係るネットワークカメラシステムの全体構成を示す図である。図１に示すネットワークカメラシステムは、カメラ装置（撮像装置）１、記録装置２、表示装置３及びネットワーク４で構成される。
【００１１】
カメラ装置１は、画像を撮像する撮像部１１と、ネットワーク４を介して情報の送受信を行うネットワークＩ／Ｆ１２とで構成される。撮像部１１は、ＣＣＤなどの撮像素子、撮像素子からの画像信号をＡ／Ｄ変換し、色信号処理および圧縮処理などを行う画像処理回路、および撮像部１１を制御する制御回路を有する。
【００１２】
記録装置２は、カメラ装置１からの画像を記録し保管する記録部２１と、ネットワーク４を介した情報の送受信を行うネットワークＩ／Ｆ２２とで構成される。記録装置２は、ハードディスクなどの不揮発性のメモリ、および外部からのリクエスト信号に応じて画像をメモリに読み書きする記録制御回路を有する。
【００１３】
表示装置３は、ネットワーク４を介して情報の送受信を行う。画像再生装置であるところの表示装置３は、ネットワークＩ／Ｆ３１と、表示する画像の取得先を制御する制御部３２と、取得した画像をスクリーン上に複数同時に表示する液晶表示装置からなる表示部３３とを有する。
【００１４】
また、表示装置３は、画面上での画像の配置、各画像とカメラ装置１との対応関係、サイズ、時刻指定などの情報からなるレイアウト情報を記憶するレイアウト記憶部３４を有する。レイアウト記憶部３４は、レイアウト情報を記憶する不揮発性のメモリを有する。
【００１５】
また、表示装置３は、レイアウト記憶部３４に記憶されているレイアウト情報から表示部３３の表示を復元するレイアウト復元部３５と、レイアウト情報の時刻指定の情報から撮像時刻を算出する撮像時刻算出部３６を有する。
【００１６】
また、表示装置３は、レイアウト情報を設定するためにユーザの指示を入力するためのマウス、キーボードを有する操作部３８を有する。
【００１７】
制御部３２、レイアウト復元部３５、撮像時刻算出部３６の処理は、同一の処理装置によって実行される。その場合、処理装置は、ＲＯＭに記憶されたプログラムをＲＡＭへ読み出し、このプログラムに基づいて制御部３２、レイアウト復元部３５、撮像時刻算出部３６の処理を実行する。また、制御部３２、レイアウト復元部３５、撮像時刻算出部３６は、それぞれ異なる制御回路によっても実行できる。
【００１８】
図２（ａ）は、表示部３３に表示される画面の一例である。この画面上において、ユーザの操作部３８を介した指示に応じて、画像を表示する画像領域の位置及び画像領域のサイズを自由に設定できる。また、表示装置３は、同一のカメラ装置１によって異なる時間に撮像された画像を複数同時に表示できる。また、画像が表示される画像領域を重ねて表示することもできる。
【００１９】
図２（ｂ）は、図２（ａ）の画面表示におけるレイアウト記憶部３４に記憶されるレイアウト情報の一例である。レイアウト情報は、画像領域１〜５に対し、「カメラ装置」情報、「配置」情報、「サイズ」情報、再生を開始すべき画像の撮像時刻情報が関連付けられた情報である。
【００２０】
「カメラ装置」情報は、各画像領域１〜５に表示される画像がどのカメラ装置によって撮像されたものであるかを示す情報である。「配置情報（位置情報）」は、表示領域５上の各画像領域１〜５の配置位置を示す情報である。「サイズ」情報は、各画像領域１〜５に表示される画像のサイズ情報である。「再生を開始すべき画像の撮像時刻」情報は、表示対象の画像がカメラ装置１の現在の撮像中の画像であるか否かを示す情報、あるいは表示対象の画像が記録画像であって、再生すべき記録画像の撮像時刻情報とからなっている。
【００２１】
図３は、図２（ｂ）のレイアウト情報の再生を開始すべき画像の撮像時刻情報の設定例と、その設定例の内容に応じた撮像時刻算出部３６による撮像時刻の算出方法との対応関係を示す図である。図２（ｂ）のレイアウト情報の「再生を開始すべき画像の撮像時刻」情報は、図３に示す設定の組み合わせで表される。
【００２２】
「再生を開始すべき画像の撮像時刻」情報として、例えば"Live"が設定された場合には、現在、カメラ装置１が撮像している画像を前記カメラ装置１から逐次取得し、再生する処理が設定される。
【００２３】
「再生を開始すべき画像の撮像時刻」情報として、例えば"08:00"のように設定された場合には、現在の時刻から過去であって且つ、現在から最も近い設定時刻に撮像された蓄積画像を再生することが設定される。図３では、現在時刻が２００４年１２月１３日、７時００分であるので、２００４年１２月１２日、８時００分に撮像された記録画像の再生処理が設定されることが示されている。
【００２４】
「再生を開始すべき画像の撮像時刻」情報として、例えば"-01:00"と設定された場合には、現在の時刻から設定された時間より前（ここでは、１時間前）の時刻に撮像された蓄積画像を再生することが設定される。
【００２５】
「再生を開始すべき画像の撮像時刻」情報として、例えば"2004/12/24 12:00"と設定された場合には、設定時刻（ここでは、２００４年１２月２４日、１２時００分）に撮像された蓄積画像を再生することが設定される。
【００２６】
「再生を開始すべき画像の撮像時刻」情報として、例えば"Mon-Fri 17:00"のように設定された場合には、現在の時刻から過去であって且つ、現在から最も近い設定時刻の記録画像を再生することが設定される。図３の例では、現在時刻から最も近い、月曜日から金曜日の１７時００分に撮像された蓄積画像を再生することが設定される。
【００２７】
本実施形態においては、利用者の操作部３８による操作により、表示部３３のスクリーン上に、各カメラ装置１からの画像を表示する領域がそれぞれ定められる。そして、それら画像毎に再生を開始すべき画像の撮像時刻情報が設定される。制御部３２は、ユーザの記憶指示を検出すると、この設定された情報をレイアウト情報として、レイアウト記憶部３４に記憶する。なお、レイアウト記憶部３４には複数のレイアウト情報の記憶が可能である。ユーザは、レイアウト情報を呼び出すことによって、表示装置３を起動するたびに再設定を行う必要がなくなる。
【００２８】
次に、図１０の表示装置によって実行されるフローチャートを参照しながら、本実施形態における表示装置３の動作について説明する。
【００２９】
制御部３２は、図１１に示すメニュー画面などからレイアウト記憶部３４に記憶されている複数のレイアウト情報の中から所望のレイアウト情報を利用者が選択したことを検出する（ステップＳ１００１，ＹＥＳ）。すると、制御部３２によってレイアウト記憶部３４から選択されたレイアウト情報が読み出され、レイアウト復元部３５にて画面上の画像表示の領域が復元される。
【００３０】
選択されたレイアウト情報の「再生を開始すべき画像の撮像時刻」情報が "Live"であるか否かを判断する。すなわち、カメラ装置１が現在撮像している画像を再生表示する設定がなされている場合（ステップＳ１００２／ＹＥＳ）、制御部３２は、予めレイアウト情報に関連付けたカメラ装置１のアドレス情報に基づいてカメラ装置１にアクセスし、画像を取得する（ステップＳ１００４）。
【００３１】
一方で、上記の例において"08:00"、"-01:00"、"2004/12/24 12:00"、"Mon-Fri 17:00"のように、設定されたレイアウト情報のうち、再生を開始すべき画像の撮像時刻情報が記録画像の再生の設定を含む場合（ステップＳ１００２／ＮＯ）、ステップＳ１００３に進む。ステップＳ１００３において、撮像時刻算出部３６は、再生を開始すべき画像の撮像時刻情報と現在時刻とから画像の撮像時刻を算出する。
【００３２】
制御部３２は、選択されたレイアウト情報内のカメラ情報に対応するカメラの撮像時刻算出部３５にて算出された撮像時刻の記録画像を記録装置２から取得する（ステップＳ１００４）。なお、画像を取得するためにアクセスする先の記録装置２のアドレス情報は、予めレイアウト情報に関連付けられているものとする。
【００３３】
そして、表示部３３は、選択されたレイアウト情報内の配置情報に基づいて、制御部３２によって取得された画像を対応する画面上の領域に表示する（ステップＳ１００５）。
【００３４】
なお、図１のシステム構成として、ネットワーク４を介して複数のカメラ装置１及び複数の記録装置２が接続される構成においても適用可能である。
【００３５】
上記のようなネットワーク構成において、カメラ装置１からの画像の記録先として、複数の記録装置２のうちの代表する記録装置２に保管する構成でもよいし、各記録装置２に保管する構成としてもよい。また、記録装置２と表示装置３とが一体となった構成でもよい。
【００３６】
図１１に示すメニュー画面などからレイアウト記憶部３４に記憶されているレイアウト情報から利用者が所望のレイアウト情報を選択したことを検出すると、選択されたレイアウト情報はレイアウト記憶部３４から読み出され、レイアウト復元部３５にて画面上の画像表示の領域が復元される。
【００３７】
選択されたレイアウト情報の再生を開始すべき画像の撮像時刻情報として、現在の撮像画像の表示が設定されている場合、制御部３２は、選択されたレイアウト情報に設定されたカメラ情報のカメラ装置１からライブ画像を取得する。
【００３８】
一方で、選択されたレイアウト情報の「再生を開始すべき画像の撮像時刻」情報において記録画像の再生が指定されている場合、制御部３２は、代表となる記録装置２からカメラ装置１とそのカメラ装置１の画像が記録された記録装置２との対応情報を取得する。そして、その対応情報に基づいて、その記録装置２から画像を取得する。
【００３９】
このような処理によって、表示部３３は、当該レイアウト情報内の配置情報で指定された領域に、制御部３２によって取得された画像を表示することができる。
【００４０】
（第２の実施形態）
次に、本発明の第２の実施形態について説明する。
第２の実施形態では、記録装置２が中継サーバとしての役割を果たす形態について説明する。図４は、本実施形態に係るネットワークカメラシステムの構成を示す図である。図４に示すように、本実施形態に係るネットワークカメラシステムの構成は、図１に示すネットワークカメラシステムの構成とは、記録装置２内に制御部２３が追加されたことを除いて同様である。制御部２３は、記録装置２側で画像の取得先を制御するものである。制御部２３は、プログラムを記憶するＲＯＭ，ＲＯＭから読み出したプログラムを一時的に記憶するＲＡＭ，ＲＡＭによって一時的に記憶されたプログラムに基づいて記録装置２の全体を制御する処理装置（ＣＰＵ）を有する。
【００４１】
図１１に示す画面のメニューなどからレイアウト記憶部３４に記憶されているレイアウト情報の中から所望のレイアウト情報を利用者が選択したことを検出する。この検出に応じて、選択されたレイアウト情報に従って、レイアウト復元部３５により、画面上の画像表示の領域が復元される。
【００４２】
選択されたレイアウト情報の「再生を開始すべき画像の撮像時刻」情報のうち、記録画像を再生することが設定されている場合、撮像時刻算出部３６は、「再生を開始すべき画像の撮像時刻」情報と現在時刻とから画像の撮像時刻を算出する。
【００４３】
そして制御部３２は、再生対象の画像を取得するために、カメラ装置１の撮像画像を記録した記録装置２に対して、算出された画像の撮像時刻と当該レイアウト情報内のカメラ情報を送信する。
【００４４】
一方、選択されたレイアウト情報において、再生を開始すべき画像の撮像時刻情報のうち、カメラ装置１において現在撮像されている画像を表示することが指定されている場合、制御部３２は、ライブ画像の再生である旨の情報と、当該レイアウト情報内のカメラ情報とを記録装置２に送信する。
【００４５】
制御部２３は、表示装置３から撮像時刻を受信した場合、当該カメラ情報に示されるカメラ装置１の撮像時刻に該当する画像を記録部２１から取得し、表示装置３に対して送信する。
【００４６】
一方、表示装置３からライブ画像の再生である旨の情報を受信した場合、制御部２３は、カメラ情報に示されるカメラ装置１から画像を取得し、表示装置３に対して送信する。表示部３では、記録装置２から受信する画像を、表示部３３によって当該レイアウト情報内の配置情報で指定された領域に表示する。
【００４７】
（第３の実施形態）
次に、本発明の第３の実施形態について説明する。第３の実施形態は、センサの検知に応じてレイアウト情報を作成する形態である。
【００４８】
図５は、第３の実施形態に係るネットワークカメラシステムの構成を示す図である。図５に示すように、本実施形態に係るネットワークカメラシステムの構成は、図１に示すネットワークカメラシステムの構成に対して、カメラ装置１内にセンサ部１３が追加され、記録装置２内に記録制御部２４及びレイアウト作成部２５が追加されたことを除いて同様である。
【００４９】
センサ部１３は、カメラ装置１の周辺で起きた状況変化を検知する、光センサ、音センサ及び温度センサなどのセンサ類である。センサ部１３は、撮像した画像から動きの検知、人物検知、顔検知及び色検知などの解析を行う画像解析による通知、もしくはこれらの組み合わせなどによって構成されてもよい。
【００５０】
記録制御部２４は、センサ部１３からの状況変化の通知に応じて、記録部２１に記録されるカメラ装置１からの画像のフレームレート、画像サイズ及び画質などの記録の設定を変更する。
【００５１】
レイアウト作成部２５は、センサ部１３からの通知に応じてレイアウト情報を作成し、作成した情報をレイアウト記憶部３４に送信する。また、レイアウト作成部２５内にレイアウト情報の作成に必要な図２に示す諸設定が記憶されている。
【００５２】
レイアウト作成部２５内には、複数のカメラ装置１のそれぞれの関連情報が記憶されている。関連情報としては、同じ被写体を異なる方向から撮像しているカメラ装置、建物において同じ廊下に設置されているカメラ装置、同じ階段の異なる階に設定されているカメラ装置、などの情報である。これらは事前に設定されている情報である。
【００５３】
センサ部１３から通知があると、レイアウト作成部２５は、通知が行われたカメラ装置１からの画像再生を行うためのレイアウト情報を作成する。具体的には、レイアウト作成部２５は、通知の時刻あるいは通知の時刻から一定時間前の時刻を、再生を開始すべき画像のカメラ装置１の撮像時刻情報とする情報を含むレイアウト情報を作成する。
【００５４】
さらに、レイアウト作成部２５は、センサ部１３からの通知が行われたカメラ装置１と関連情報より関連付けられたカメラ装置からの画像再生を行うためのレイアウト情報を作成する。具体的には、レイアウト作成部２５は、通知の時刻あるいは通知の時刻から一定時間前の時刻を、再生を開始すべき画像のカメラ装置１に関連付けられたカメラ装置の撮像時刻情報とする情報を含むレイアウト情報を作成する。
【００５５】
なお、カメラ装置１およびカメラ装置１に関連付けられたカメラ装置のライブ画像を含むレイアウト情報を作成してもよい。
【００５６】
記録制御部２４、レイアウト作成部２５の処理は、同一の処理装置によって実行される。その場合、処理装置は、ＲＯＭに記憶されたプログラムをＲＡＭへ読み出し、このプログラムに基づいて記録制御部２４、レイアウト作成部２５の処理を実行する。
【００５７】
図７はカメラ装置１の関連情報の一例を示す図である。図７の例においては、カメラ装置１はゾーンとロケーションの２つの情報で分類されている。
【００５８】
具体的には、関連付けられたカメラ装置として、センサ部１３からの通知があったカメラ装置とゾーンが一致したカメラ装置、通知があったカメラ装置とロケーションが一致したカメラ装置が想定される。
【００５９】
また、利用者が表示装置３を介して指定した検索条件にマッチしたカメラ装置を関連付けられたカメラ装置としてもよい。通知があったカメラ装置と同じ検索条件にマッチしたゾーンのカメラ装置として、例えば、センサ部１３からの通知があったカメラ装置１がカメラ０６の場合であって、検索条件として「駐車場」が指定された場合、カメラ０７〜カメラ１１が関連付けの対象となる。
【００６０】
また、通知があったカメラ装置１と同じ検索条件にマッチしたロケーションのカメラ装置として、例えば、通知があったカメラ装置がカメラ０３の場合であって、検索条件が「エレベータホール」である場合、カメラ０４が関連付けの対象となる。
【００６１】
なお、上述したこれらの組み合わせの和集合の条件のカメラ装置、又はそれらの組み合わせの積集合の条件のカメラ装置を関連付けられたカメラ装置としてもよい。
【００６２】
このようにレイアウト作成部２５によって作成されたレイアウト情報は、表示装置３に送信され、レイアウト記憶部３４で記憶される。表示装置３の制御部３２は、記憶されたレイアウト情報に基づいて、再生すべき画像をカメラ装置１あるいは記録装置２から取得する。そして、表示部３３は、取得された画像を表示する。
【００６３】
なお、レイアウト作成部２５によるレイアウトの作成は、センサ部１３の検知より一定時間経過ごとにおいて行ってもよい。この場合、レイアウト作成部２５において、各カメラ装置１のセンサ部１３の通知の履歴を記憶しておく。
【００６４】
そして、一定時間経過後にセンサ部１３からの通知が行われた場合に、通知の時刻を、再生表示を開始すべきカメラ装置１の画像の撮像時刻情報とするレイアウト情報を作成する。さらにレイアウト作成部２５は、通知の履歴から時間的に近い幾つかの過去の通知があった過去の各通知時刻を、再生表示を開始すべきカメラ装置１の撮像時刻とする情報を含むレイアウト情報を作成する。
【００６５】
また、レイアウトの作成は、図６に示すように、表示装置３側で行ってもよい。本実施形態に係るネットワークカメラシステムの構成は、図５に示すネットワークカメラシステムの構成とは、記録装置２からレイアウト作成部２５が除かれ、表示装置３内にレイアウト作成部３７が追加されたことを除いて同様である。
【００６６】
なお、レイアウト情報として作成すべき表示領域5に画像を表示するための配置情報は、表示する画像の数に対応して予め設定された配置情報を用いてレイアウト情報が作成される。
【００６７】
（第４の実施形態）
次に、本発明の第４の実施形態について説明する。第４の実施形態に係るネットワークカメラシステムは、図５又は図６に示す構成が適用される。
【００６８】
図８は、表示部３３における画像の表示構成の一例を示す図である。表示領域５は表示部３３に表示される領域であり、特定領域５１を含む。また、画像領域ａ５２、ｂ５３、ｃ５４、ｄ５５、ｅ５６はカメラ装置によって撮像された画像を再生表示する領域である。
【００６９】
図９は、配置フォーマット情報の一例を示す図である。配置フォーマット情報は、少なくとも画像領域に対する画像の配置順序情報、画像領域の配置位置情報、画像領域のサイズ情報から構成される。利用者からの操作により配置フォーマット情報が作成されると図５のレイアウト作成部２５又は図６のレイアウト作成部３７に配置フォーマット情報が記憶される。
【００７０】
本実施形態は、通知したセンサ部１３を有するカメラ装置に対する関連性の強さに基づいて配置フォーマット情報が作成される形態である。
【００７１】
例えば、表示部３３は、通知があったカメラ装置の画像を特定領域５１に表示させる。そして、通知があったカメラ装置に関連性のあるカメラ装置としてカメラ装置ａ、カメラ装置ｂ、カメラ装置ｃが存在し、カメラ装置ｃ、カメラ装置ｂ、カメラ装置ａの順で関連性が強い場合を想定する。そして、画像領域ａ、画像領域ｂ、画像領域ｃの順に関連性が強い領域として設定されている場合、カメラ装置ｃからの画像は画像領域ａに表示され、カメラ装置ｂからの画像は画像領域ｂに表示され、カメラ装置ａからの画像は画像領域ｃに表示されることが決定される。
【００７２】
上記実施形態によれば、定常的に閲覧する時の、画面上のカメラからの画像の配置と、各カメラの撮像時刻とを求め、それに基づいて表示部上に表示させることができるため、利用者の行う操作を簡易にすることが可能となる。
【００７３】
また、本発明の目的は、前述した実施形態の機能を実現するソフトウェアのプログラムコードを記録した記憶媒体を、カメラ装置１，記録装置１，表示装置１に供給し、そのシステム或いは装置のコンピュータ（またはＣＰＵやＭＰＵ）が記憶媒体に格納されたプログラムコードを読み出し実行することによって達成されることは言うまでもない。
【００７４】
この場合、記憶媒体から読み出されたプログラムコード自体が前述した実施形態の機能を実現することになり、プログラムコード自体及びそのプログラムコードを記憶した記憶媒体は本発明を構成することになる。
【００７５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００７６】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００７７】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００７８】
【図１】本発明の実施形態に係るネットワークカメラシステムの全体構成を示す図である。
【図２】表示部上での画面の表示構成例とレイアウト情報の一例とを示す図である。
【図３】レイアウト情報の撮像時刻再生を開始すべき画像の撮像時刻情報の指定方法と、その指定内容に応じた撮像時刻算出部による撮像時刻の算出方法との対応を示す図である。
【図４】本発明の実施形態に係るネットワークカメラシステムの全体構成を示す図である。
【図５】本発明の実施形態に係るネットワークカメラシステムの全体構成を示す図である。
【図６】本発明の実施形態に係るネットワークカメラシステムの全体構成を示す図である。
【図７】関連情報の一例を示す図である。
【図８】表示部における画像の表示構成の一例を示す図である。
【図９】配置フォーマット情報の一例を示す図である。
【図１０】本発明の実施形態における表示装置の動作を示すフローチャートである。
【図１１】本発明の実施形態におけるメニュー画面の一例を示す図である。
【符号の説明】
【００７９】
１  カメラ装置
１１  撮像部
１２  ネットワークＩ／Ｆ
１３  センサ部
２  記録装置
２１  記録部
２２  ネットワークＩ／Ｆ
２３  制御部
２４  記録制御部
２５  レイアウト作成部
３  表示装置
３１  ネットワークＩ／Ｆ
３２  制御部
３３  表示部
３４  レイアウト記憶部
３５  レイアウト復元部
３６  撮像時刻算出部
３７  レイアウト作成部
４  ネットワーク
５  表示領域
５１〜５６  画像領域
【図１】
2006345489.tif 000003
【図２】
2006345489.tif 000004
【図３】
2006345489.tif 000005
【図４】
2006345489.tif 000006
【図５】
2006345489.tif 000007
【図６】
2006345489.tif 000008
【図７】
2006345489.tif 000009
【図８】
2006345489.tif 000010
【図９】
2006345489.tif 000011
【図１０】
2006345489.tif 000012
【図１１】
2006345489.tif 000013